(57)【要約】【課題】  重心の高さを、底辺を円とした場合の半径で除した値が４以下であって、且つ重量３００グラム以下の仏具が、地表の重力加速度と同等の９８０ガルの強い横揺れで転倒する事を防止し、且つ仏具の載置の位置決めを確実にする。【解決手段】  断面の最短径が１０ｍｍ以上１５ｍｍ以下で、更にアスペクト比が０．３以上０．５以下の希土類焼結永久磁石を複数組使用し、そのうちの１つの希土類焼結永久磁石３は仏具１の台２底面の所定の位置に装着され、該仏具１を載置すべき仏壇にも厚さ１ｍｍ以下の表装材６で覆われた状態の仏壇基材４に希土類焼結永久磁石５が装着されており、これらの焼結永久磁石３，５を磁着させることにより、仏具１を、仏壇に取り付ける。【選択図】  図１
2013226292.tif 000002
【特許請求の範囲】
【請求項１】
円柱状または角柱状の永久磁石であって、その直径または短辺が１０ｍｍ以上１５ｍｍ以下、且つアスペクト比が０．３以上０．５以下の希土類永久磁石偶数個を１組として、該永久磁石の半数を仏具の底面に装着し、該仏具を載置する仏壇の所定の位置に残余の永久磁石を装備し、該永久磁石同士を磁気的に吸引せしめて仏具を仏壇に載置することを特徴とする、磁気仏壇。
【請求項２】
仏具の底面に装着された該永久磁石の少なくとも１個は、該底面が３角形においては各頂角の２等分線が交差する内心に、該底面が正四辺形においては対角線の交点に、該底面が正五角形以上においてはその外接円の中心に、それぞれ装着されていることを特徴とする、請求項１に記載の磁気仏壇。
【請求項３】
磁気的に吸引せしめる該永久磁石２個のうち少なくとも１個の直径または短辺が、１２ｍｍ以上１５ｍｍ以下、且つアスペクト比が０．３以上０．５以下である事を特徴とする請求項１または２に記載の磁気仏壇。
【発明の詳細な説明】
【技術分野】
【０００１】
本発明は、仏壇に載置されている仏具その他が地震の際に転倒することを防止することを目的として、磁石を装着した仏壇及び磁石を装備した仏具に関する。
【背景技術】
【０００２】
仏具の転倒防止の提案は多い。
例えば特許文献１は粘着シートを採用し、特許文献２は磁石または磁性体を仏壇に組み込みその表面を天然杢または印刷シートで覆い、且つ磁着させる磁石または磁性体を仏具に装着させている。
【０００３】
特許文献３は、位牌及び仏壇の双方にマグネットを装備させて、位牌の位置を決めるとともに転倒を防止している。特許文献４は、永久磁石を位牌の基台部の下面に固着し、被吸着シートを仏壇に配設することでもって位牌の転倒を防止している。
特許文献５は、仏壇に磁性体の板を貼り合わせ、灯台や位牌下端部の中心に磁石を装備して均等に吸着させ、転倒を防止しようとしている。
【先行技術文献】
【特許文献】
【０００４】
【特許文献１】実用新案登録第３１２７２８２号公報
【特許文献２】実開昭６３−１９１９８７号公報
【特許文献３】実公昭６１−４０２２９号公報
【特許文献４】実用新案登録第３１５４６６９号公報
【特許文献５】実用新案登録第３０３８４８３号公報
【発明の概要】
【発明が解決しようとする課題】
【０００５】
上記特許文献２〜５は何れも、磁石と磁石、または磁石と磁性体との磁気的な吸着という現象を述べているに過ぎず、どの様な磁石がどの様に有効であるかについては明らかになっていない。
【０００６】
しかし、日常経験する地震の揺れで仏具が転倒する事例が多く、特に火立や香炉は火災の危険があって、安心できる転倒防止策が求められていた。
東北地方太平洋沖地震では、家屋の被害が少ないにも拘らず広範囲の地域で仏具の転倒がみられ、仏壇販売店へは転倒防止への要望が多く寄せられた。
【０００７】
本発明は上記の現状に鑑みて成されたもので、一定強さの横方向（水平方向）揺れに耐えて仏具の転倒を防止することを課題とする。
【課題を解決するための手段】
【０００８】
上記課題を解決するため本発明は、円柱状または角柱状の永久磁石であって、その直径または短辺が１０ｍｍ以上１５ｍｍ以下、且つアスペクト比が０．３以上０．５以下の希土類永久磁石偶数個を１組として、該永久磁石の半数を仏具の底面に装着し、該仏具を載置する仏壇の所定の位置に残余の永久磁石を装備し、該永久磁石同士を磁気的に吸引せしめる構成とした。これによって、仏壇に載置した仏具の転倒を防止することが出来る。
【０００９】
仏具の底面に装着された該永久磁石の少なくとも1個は、該底面が３角形においては各頂角の２等分線が交差する内心に、該底面が正四辺形においては対角線の交点に、該底面が正五角形以上においてはその外接円の中心に装着されていることによって、該仏具が特定の方向に転倒し易いという脆弱性が無くなる。
【００１０】
磁気的に吸引せしめる該永久磁石２個のうち少なくとも１個の直径または短辺が、１２ｍｍ以上１５ｍｍ以下、且つアスペクト比が０．３以上０．５以下であれば、転倒防止がより確実となる。
【発明の効果】
【００１１】
本発明に拠れば、地球引力に拠る重力加速度と同等の大きな加速度の水平方向地震揺れに対して、一定条件の仏具の転倒を防止することが出来る。
【図面の簡単な説明】
【００１２】
【図１】本発明の一実施態様を表したものであり、（ａ）は仏具の斜視図、（ｂ）は仏具の取り付け状態を表す断面図を示す。
【図２】本発明の耐震性の模式図を示す。
【図３】本発明における磁石を三角形形状で装着する図を示したものであり、（ａ）は正三角形形状、を示したものであり、（ｂ）は他の三角形形状を示す。
【図４】本発明の仏具の足が複数本で形成されたタイプの実施態様を表わしたものであり、（ａ）は分解斜視図、（ｂ）は台座の断面図、（ｃ）は組み立て状態の斜視図を示す。
【図５】本発明の台座を仏具の足毎に設けたタイプの実施態様を示したものであり、（ａ）は仏具の斜視図、（ｂ）は台座の断面図を示す。
【図６】本発明のアスペスト比の説明図を表したものであり、（ａ）は円柱型の斜視図、図６（ｂ）は角柱型の斜視図を示す。
【発明を実施するための形態】
【００１３】
地震の大きさは「震度」や「マグニチュード」で表されるが、揺れの強さは「加速度」を表す「ガル」や、揺れの「速度」を表す「カイン」が用いられている。「加速度」の単位は、ｃｍ／Ｓｅｃ／Ｓｅｃである。
大きな構築物の耐震性を調べるには、最近は「カイン」が考慮される様になっているが、従来から「ガル」が注目されてきた。
【００１４】
地震の揺れの加速度と仏具の転倒との関係は次のように整理できる。
該加速度の方向は、個々の地震の性格や地盤そのもの、或は震源地と仏壇との位置関係でもってケースバイケースであり、特定する事が出来ない。
上下方向の加速度はいわゆる重力に逆らう加速度なので、地震の加速度αが重力加速度ｇ（ｇは９８０）より大きければ仏壇は宙に浮く事になり、仏壇そのものの転倒が現実的となる。仏具は、仏壇に固定、若しくは粘着・磁着されていなければ宙に浮くことになり、転倒の可能性が高くなる。
この場合、仏具の重量Ｗや重心の高さＨ、或は仏具の底の形状寸法は無関係である。
尚本発明においては、高層ビルの上層階での揺れや共振、その他の複合的な揺れについては考慮しない。
【００１５】
該加速度が水平方向の場合、床面と仏壇底面との摩擦や仏壇と仏具底面との摩擦が重要である。摩擦が小さい場合は、仏壇は床面をすべり、人や他の家具等に衝突し、或は段差で転倒してしまう。仏具は仏壇の棚や段上を滑って壁面や他の仏具と衝突、或は棚や段から落下・転倒してしまう。
そこで、仏壇や仏具に拠る事故の防止及び転倒防止を行う上で、床面と仏壇との摩擦及び仏壇と仏具の摩擦は十分大きく採る必要がある。
本発明では、該摩擦が十分大きく且つ該加速度の方向が水平方向を想定して、その対策を講じた。
尚、加速度の方向が垂直方向或は水平方向で無い場合は、該加速度の垂直方向成分、及び水平方向成分を考えれば良いが、それら成分は、いずれも該加速度の絶対値よりは小さい。
【００１６】
床面と仏壇との摩擦が大きくて仏壇が地表の水平方向の揺れに追随すると仮定し、更に仏壇と仏具との摩擦も十分大きくて仏具が仏壇の水平方向の揺れに追随すると仮定し場合、仏具の転倒現象は、該地表の揺れの「加速度」でもって引き起こされる。
関東大震災では約４００ガル、阪神大震災では約８００ガルが観測されている。東日本大震災（東北地方太平洋沖地震）では、最大で約２３００ガルが観測された。これらの最大揺れが観察されたのは一部の地域であり、その方向もケースバイケースであった。
他方で上述した様に、地震の加速度αの大きさが重力加速度ｇより大きい場合は、仏具の転倒防止は複数のしかも強固な対策が必要であり、現実的では無い。
以上の理由により、本発明は、水平方向の揺れの加速度が重力加速度ｇと同等という非常に強い場合に転倒を防止することを目標とした。
【００１７】
水平方向の加速度に拠る仏具の転倒を、耐震性の模式図を表わす図２を用いて説明する。なお、地震に拠る加速度αの方向は特定できないので、仏具の底面を円と仮定して、方向性を無視できるモデルを考える。
すなわち総重量Ｗの仏具の重心は、底面の円の中心Ｏを通る垂線上で高さがＨであるとする。又、仏具の底面を円と見立てた場合の半径をＲとする。
そして、底面の中心Ｏに永久磁石が装着されており、対応する仏壇にも永久磁石が装着され、該２個の永久磁石が吸引しているものとする。
この時仏具には、図２の実線２重矢印方向へ、「水平方向の転倒モーメント＝Ｗ＊α＊Ｈ」が作用する。
対して、「安定モーメント」は、重力加速度をｇとすると、「重力がつくるモーメント；Ｗ＊ｇ＊Ｒ（重心を基点とする破線２重矢印）」と、「磁気吸着力がつくるモーメント；Ｍ＊ｇ＊Ｒ（円の中心Ｏを基点とする破線２重矢印）」との和である。
ここに、Ｍ＊ｇで表される磁気吸着力のＭ（単位はグラム）が重要となる。
仏具が転倒しないためには、「安定モーメント＝（Ｗ＋Ｍ）＊ｇ＊Ｒ」が、「転倒モーメント；Ｗ＊α＊Ｈ」より大きい条件が必要になる。
これを不等式で表わすと、「（Ｗ＋Ｍ）＊ｇ＊Ｒ＞Ｗ＊α＊Ｈ」となる。
そして、この不等式を整理すると、「Ｍ＞Ｗ＊（Ｈ／Ｒ＊α／ｇ−１）」となる。（以下、「式１」と表わす。）
【００１８】
地震の揺れの加速度は、地盤構造や建屋の構造などで大きく異なる事が知られており、一概に想定することは困難だが、上述した理由で９８０ガルを採用すると、重力加速度ｇと同等になり、上記「式１」は、「Ｍ＞Ｗ＊（Ｈ／Ｒ−１）」となる。（以下、「式２」と表わす。）
つまり磁気吸着力Ｍが、この「式２」の右辺の値以上であれば、該仏具は転倒が防止される。
また、上記式から明らかな様に、仏具の重量が軽ければ転倒し難らく、重心の位置は低いことが好ましく、仏具の底面が大きいことが好ましい。
個々の仏具によって決まる右辺で、仏具の平均的な重量Ｗ＝３００グラム、平均的な「Ｈ／Ｒ＝４」を「式２」に代入すると、Ｍ＞９００グラムの磁気吸着でもって、該仏具は、９８０ガルの地震の揺れに耐えて転倒を防止することが出来る。
【００１９】
磁気吸着力Ｍが９００グラムの場合上記「式２」から、仏具の重量Ｗが例えば５００グラムの重いケースでは「Ｈ／Ｒ＞２．８」で転倒が防止され、「Ｈ／Ｒ＜２．８」では転倒してしまう。つまり、より背が低く底面が大きくなければ倒れてしまう。逆にＷが軽くなればより大きなＨ／Ｒまで転倒が防止される。
同様に上記「式２」から「Ｈ／Ｒ」が６まで大きくなると、Ｗが１８０グラム以上では転倒してしまう。逆に「Ｈ／Ｒ」が小さくなって３になれば、Ｗは４５０グラム以下で転倒が防止される。
以上のように、磁気吸着力Ｍが一定の場合は、転倒が防止できる仏具の重量Ｗと仏具の形状で決まる「Ｈ／Ｒ−１」の値とが反比例の関係にあるので、採用する永久磁石の磁着力毎に仏具の形状、重量や重心の高さなどを設計することが出来る。
【００２０】
図１は、本発明の一実施態様を表したものであり、図１（ａ）は仏具の斜視図、図１（ｂ）は仏具の取り付け状態を表す断面図を示している。
具体的には、仏具１としての蝋燭立てには、その下部に形成される台２の下面中央部に、希土類焼結永久磁石３が接着等で取り付けられている。
また、仏具１を設置する仏壇側には、その仏壇基材４に希土類焼結永久磁石５が接着等で取り付けられ、その上面は表装材６で覆われている。
そして、図１（ｂ）に示すように、蝋燭立て１の希土類焼結永久磁石３と、仏壇基材４の希土類焼結永久磁石５とが磁気吸し、蝋燭立て１は、仏壇基材４に取り付けられることになる。
上記の表装材６で示される仏具を載置する段、棚や壇の表面は、無垢材や木目模様を印刷したシートでもって製作される。また、打敷が敷かれる場合もあり、現実に、仏具に装着させた磁石と仏壇に装着させた磁石を対向させるクリアランスは、仏壇の設計思想や使用状況で変わる。
他方で、無垢材を薄くスライスする技術や、スライスした薄い板を外観上無垢材の様に貼り付けて、例えば磁石を埋め込んでその表面に該板を一体化する技術が進んでおり、表面の漆塗装や打敷の厚さを加えても、１ｍｍ程度に収めることが可能になっている。
「表１」は、各種形状の磁石を１ｍｍの非磁性クリアランスを隔てて対向吸引させて、その吸着力を測定した結果の主なものを纏めたものである。
尚、この表に示す永久磁石・Ｙは、上記の蝋燭立て１に取り付けられた希土類焼結永久磁石３に相当し、永久磁石・Ｚは、仏壇基材４に取り付けられた希土類焼結永久磁石５に相当する。勿論、永久磁石・Ｙと永久磁石・Ｚとが入れ替わっても吸着力は同じである。
【表１】
2013226292.tif 000003
【００２１】
この結果から次のことが判る。
即ち、直径１０ｍｍ以上且つアスペクト比０．３以上の永久磁石同士を対抗磁着させると、対向のクリアランスが１．０ｍｍで略９００グラムの磁着を確保出来る。更に、少なくとも片方の磁石として、直径１２ｍｍ以上且つアスペクト比が０．３以上の永久磁石を対向させると、磁着力は１０００グラム近くなるので転倒防止がより確実となる。
【００２２】
上記「表１」の１１３０グラムの磁気吸着力の場合、「式２」から、Ｗが３００グラムのケースでは「Ｈ／Ｒ」は４．７まで転倒を防止できる。同様に「式２」から、「Ｈ／Ｒ」が４のケースではＷは３７７グラムまで転倒を防止できる。
同様に、上記「式１」に上記「表１」のＭ＝１１３０を採用し、「Ｈ／Ｒ＝４」及び、「ｇ＝９８０」を代入すると、「α＝１１６８」、つまり１１６８ガルの水平方向加速度まで転倒せず耐えることが出来る計算になる。この様に「式１」を用いると、耐震強度の設定から仏具の設計、及び使用する永久磁石の磁気吸着力まで設計することが出来る。
【００２３】
永久磁石を単体で使用する場合、細長い棒磁石では問題にならないが、薄い磁石では特にその形状が重要である。単体の永久磁石を扱ううえで反磁界という現象を避けることは出来ない。
反磁界の強さを「Ｈｄ（値は負）」、本来の強さを「Ｊ」とすれば、「Ｎ＝−Ｈｄ／Ｊ」は、反磁界係数として知られている。反磁界係数の値は正である。
円柱状や棒状の形状で且つ長い磁石では反磁界係数は小さく、逆に短くなると反磁界の影響が決定的となる。
回転楕円体以外の形状では該反磁界係数の厳密な理論計算が出来ないとされているが、近似計算結果を含めて以下の値等が公表されている。
例えば後述する図６（ａ）の円柱において、アスペクト比が２の場合の反磁界係数は約０．１４であるが、アスペクト比が半分の１になると反磁界係数は約０．２７と大きくなる。つまり、磁力が約２７％も目減りしてしまう。
上記の様に、反磁界係数と該アスペクト比とは簡単な式で関係づけることが出来ないが、同一径の永久磁石或は同一長さの永久磁石ではそれぞれ、アスペクト比が小さいほど反磁界係数が大きくなるので、該永久磁石の磁力が小さくなってしまう。そこで、永久磁石の磁力を最大引き出して、言い換えると反磁界をなるべく小さくして使用する技術が重要となる。
アスペクト比が小数点以下になると、反磁界係数は急激に大きくなり、アスペクト比が更に小さくなると、それ自身が磁石でなくなってしまう程である。したがって、一般的に永久磁石を使用する場合、可能な限り大きいアスペクト比形状を採用する事が好ましい。
【００２４】
図６は、アスペスト比の説明図であり、図６（ａ）は円柱型の斜視図、図６（ｂ）は角柱型の斜視図を示す。
なお、本発明において、「アスペクト比＝Ｌ／Ｄ＝長さ／直径（または短辺）」と定義する。
また、図６（ａ）（ｂ）の実線２重矢印は磁化の方向を表しており、該磁化の方向の長さをＬとする。
仏具を載置する仏壇の棚や段の厚さは２０ｍｍ程度以下であるので、表装材の厚さや機械的強度を確保する目的から、永久磁石の厚さＬは略１５ｍｍ以下が好ましい。
【００２５】
本発明において、磁着力の測定は以下の自作した装置を用いた。
フルスケール２０００グラムのバネ式上皿台秤の非磁性皿上面に永久磁石を装着・固定し、予め１ｋｇ以上の重りの負荷によって、台秤の台部分を下げさせておく。
他方で、非磁性体に装着・固定された他の永久磁石を、台座に固定した永久磁石に、厚さ１．０ｍｍの非磁性スペーサーを介して対向磁着させ、ラックアンドピニオン装置でスムーズに引き上げる。対向磁着した永久磁石同士の磁着が離れる間際の荷重読みと、初期の荷重読みとの差を、該一組の永久磁石同士の磁着力とした。
【００２６】
永久磁石の磁力の強さは、径が大きく且つ長い磁石、言い換えるとアスペクト比大きい磁石が強い傾向があり、本発明には好適である。
他方で、仏壇に永久磁石を装着するに当たって、多くの場合、磁石形状の制約がある。例えば本発明では、仏壇に装着する磁石は長い磁石は採用出来ず、上述した様に１５ｍｍ以下が好ましい。仏壇の制作上、機械強度を確保するためには、装備する永久磁石は小さい程、薄いほど好都合である。
更に、同じ形状では磁力が最も高い希土類永久磁石ではあるが、重量当たりの価格が著しく高価なため、なるべく小さい永久磁石を採用せざるを得ない。従い、おのずと薄い磁石が好ましくなるが、他方で上述した反磁界のために磁力が急激に低下する。以上の理由から、磁石形状の大きさと共にアスペクト比が重要となる。現実的には、仏壇と仏具の設計思想に基づき実形状でもって影響を確認して、必要最低限の形状を選択する。
【００２７】
「表１」からは、直径が同じ場合はアスペクト比が大きい程磁着力が強くなり、アスペクト比が同じ場合は直径が大きい程磁着力が強い事が判る。
直径が１０ｍｍ、アスペクト比が０．３の希土類永久磁石と、直径が１５ｍｍ、アスペクト比が０．３の希土類永久磁石を対向磁着させた場合、本発明の目標とする９００グラムを２割以上超える十二分な磁着力を示す。
他方で上述した様に、永久磁石の価格や仏壇・仏具の制作上、永久磁石の形状は小さい程好ましいので、本発明において、希土類永久磁石の直径は１５ｍｍ以下とした。
上記の様に、永久磁石の直径Ｄとアスペクト比の範囲がそれぞれ決まれば、該永久磁石の長さＬの範囲が、３．０ｍｍ以上、７．５ｍｍ以下と計算できる。この長さＬの最大７．５ｍｍは、仏壇製作の制約である１５ｍｍ以下を満足している。
【００２８】
転倒防止に仏具の形状は決定的に影響する。「式１」から明らかな様に、重心位置が高い仏具は倒れやすい。
仏具の底辺の大きさや形状も決定的である。
仏具の底辺は、美的観点から円形、正三角形、正四辺形、及び正多角形が殆どである。点に近い小さな底面積の足が３本以上で構成される場合もあるが、その位置は通常正三角形の頂点位置、或いは正四辺形の頂点位置の様な対称的な位置関係にあることが多い。
【００２９】
図３は、磁石を三角形形状で装着する図を表わしたものであり、図３（ａ）は正三角形形状を示し、正三角形ＡＢＣの各頂点位置に仏具の足があり、三角形の中心Ｐの鉛直上方に仏具の重心がある場合の図である。この仏具では、３個の足が正三角形の台座の頂点部分に固定されている（図示せず）。この場合に於ける「式１」の［Ｒ］は、点Ｐから各辺への垂線の足の長さＰ−ａ、Ｐ−ｂ、およびＰ−ｃに相当する。図３（ａ）は正三角形なので、内心、重心、垂心などの中心位置は一致し、中心Ｐから該垂線の足の長さは３本ともおなじである。
図３（ｂ）は他の三角形形状を示したものであり、このように三角形ＥＦＫが正三角形でなければ、中心点からの各辺への垂線の長さが異なる場合があり、そのなかで最も短い方向への横揺れに対して最も耐震性が低くなってしまう。
【００３０】
耐震性はあらゆる水平方向の揺れを想定する必要があるので、特定の方向が他の方向より弱いということは製品として好ましく無い。
そこで、三角形ＥＦＫの各頂点の内角の２等分線３本が１点で交わる内心点をＱとすると、点Ｑから各辺に下ろした垂線の足、Ｑ−ｅ、Ｑ−ｆ、Ｑ−ｋの長さがそれぞれ同じである。該長さが「式２」のＲに相当する。該点Ｑの鉛直上方に該仏具の重心がある事が好ましく、且つ該点Ｑに永久磁石を装着する必要がある。この場合は耐震性が特に低い特定の方向が無くなるので好適である。
正四辺形の場合は対角線の交点、正五角形以上ではその内接円の中心にそれぞれ該転倒防止磁石を装着することが好ましく、且つ、該点の鉛直上方にそれぞれ重心位置があることが好適である。仏具の底面の形状が四辺形以上の多角形の場合は、少なくとも２辺以上に内接する最小の内接円の中心に、該磁石を装着することが好ましく、且つ該中心の鉛直上方に該仏具の重心がある事が好ましい。
【００３１】
図４は、仏具の足が複数本で形成されたタイプの実施態様を示したものであり、図４（ａ）は分解斜視図、図４（ｂ）は台座の断面図、図４（ｃ）は組み立て状態の斜視図を表している。
即ち、香炉等、仏具７の底部の足８が複数本で形成されている場合、そのまま本発明の永久磁石を装着することが困難であるので、各足部８，８，８の裏に特別の工夫が必要である。
そこで、仏具底部の足８，８，８が収納するような台座９を設けてその中心底部裏の中心に、本発明の希土類焼結永久磁石１０を装着するのが良い。こうすれば、仏具の品格が高まると共にＲが大きくなり、耐震性が向上するので好都合である。
【００３２】
尚、台座は、仏具の足毎に設けても良い。
図５は、そのようなタイプの実施態様を示したものであり、図５（ａ）は仏具の斜視図、図５（ｂ）は台座の断面図を表している。
即ち、位牌等の仏具１１の下部に形成された４個の各足部１２，１２，１２，１２の中心にそれぞれ１個、計４個の永久磁石を装着すれば良い。
この場合の耐震性は「式１」では表わされないが、装着した磁石が４倍であることから、より好ましいことが推定される。
尚、図５（ｂ）は、４個の足１２，１２，１２，１２それぞれに装着する台座１３を示しており、例えば足１２が台座１３から抜けない様に斜めに挿入されており、該台座の中心に本発明の希土類焼結永久磁石１４が装着されている。
【００３３】
仏壇を設計し製作するに際して、どの様な仏具をどの位置に載置するかを設計し、それに基つき本発明の永久磁石を装着・一体化する。したがって、永久磁石を装着された仏具を、仏壇に装着された磁石の位置に対して、容易に且つ精確に載置することが出来るので好都合である。
尚、図５の態様では、１体の仏具に複数（４個）の磁石が装着されているので、それぞれの永久磁石が仏壇に装着された対の永久磁石と磁着する事になり、位置のみならず仏具の向きもまた精確に載置する事が出来る。
【００３４】
クリアランスが１ｍｍで磁気吸着力を約９００グラム確保するには、永久磁石と磁性材との組み合わせによっても可能である。
直径または短辺長さが１０ｍｍ以上且つアスペクト比が０．５以上であるか、若しくは直径または短辺長さが１２ｍｍ以上且つアスペクト比が０．３以上である永久磁石と、直径３５ｍｍ、厚さ０．２ｍｍの鉄板とを対向磁着させると、９００グラム以上の磁気吸着力を確保出来た。表２にその結果を示す。
但し、磁石と鉄板シートの中心との大略の位置合わせが簡単であるものの、精確では無かった。
【表２】
2013226292.tif 000004
【００３５】
本発明の希土類焼結永久磁石は、（ＢＨ）ｍａｘが３２ＭＧＯｅ程度以上の磁気特性を有する磁石を採用する。中でも、いわゆるネオジ磁石として知られている永久磁石は、現在最も磁力が強い磁石であり好適である。通常焼結磁石が採用される。
フェライト焼結磁石では磁力が不足して、必要な磁気吸着力が得られない。形状を大きくすれば吸着力を確保する事は可能だが、大きくなりすぎて仏壇や仏具への装着が実質不可能となるので採用出来ない。
合成樹脂と希土類磁石粉末とを混練するボンド磁石は、希土類磁石系であっても該永久磁石成分の体積比率が７０％を超えることが無いので、焼結磁石に比べて磁力が低く、採用できない。
但し、圧縮成型希土類ボンド磁石はボンド磁石の範疇には属するが、ボンド剤としての樹脂成分が少なく通常永久磁石成分の体積比率が９０％前後と高いので、焼結磁石に比較的近い磁力を示す。本発明の形状範囲で、本発明の目的を達成する９００グラムの磁着力を示す圧縮成型希土類ボンド磁石は、本発明において好適に採用される。
【実施例１】
【００３６】
バネ式上皿台秤の非磁性皿の中央にΦ１５ｍｍ、厚さ６ｍｍ（アスペクト比＝０．４）のネオジ焼結磁石（永久磁石Ｙとする）を装着し、ラックアンドピニオン側にはΦ１０ｍｍ、厚さ３ｍｍ（アスペクト比＝０．３）のネオジ焼結磁石（永久磁石Ｚとする）を装着し、上述した装置でクリアランス１．０ｍｍでの磁着力を測定したところ、１１３０グラムであった。目標とする９００グラムには、十二分の余裕があった。
【実施例２】
【００３７】
永久磁石Ｙとして、Φ１５ｍｍ、厚さ４．５ｍｍ（アスペクト比＝０．３）を採用したこと以外は実施例１と同様にして測定したところ、磁着力は１０８５グラムであった。
【実施例３】
【００３８】
永久磁石Ｙとして、Φ１２ｍｍ、厚さ４ｍｍ（アスペクト比＝０．３３）を採用したこと以外は実施例１と同様にして測定したところ、磁着力は９９５グラムであった。
【実施例４】
【００３９】
永久磁石Ｙとして、Φ１０ｍｍ、厚さ５ｍｍ（アスペクト比＝０．５）を採用したこと以外は実施例１と同様にして測定したところ、磁着力は１０５０グラムであった。
【実施例５】
【００４０】
永久磁石Ｙとして、Φ１０ｍｍ、厚さ３ｍｍ（アスペクト比＝０．３）を採用したこと以外は実施例１と同様にして測定したところ、磁着力は８９０グラムであった。
【００４１】
目標の９００グラムをほぼ達成しており、この事から、次の事が判った。
仏具の重量３００グラム以下、重心位置の底面からの高さをＨ、重心から底面に垂直に降ろした位置をＯとして点Ｏから底面の形状の最も近い外周迄の距離をＲとしたとき「Ｈ／Ｒ＝４以下」、という条件下で、一組の永久磁石形状が、それぞれΦ１０ｍｍ、アスペクト比が０．３以上であれば、仏壇の表装材の厚さ１．０ｍｍを介して磁着させて、地震強度が重力加速度ｇと同等の９８０ガルに対して、ほぼ転倒を防止することが出来る。
【実施例６】
【００４２】
永久磁石Ｙとして、Φ１２ｍｍ、厚さ４ｍｍ（アスペクト比＝０．３３）、永久磁石Ｚとして、Φ１０、厚さ５ｍｍ（アスペクト比＝０．５）を採用したこと以外は実施例１と同様にして測定したところ、磁着力は１０２０グラムであった。
【００４３】
（比較例１）
永久磁石Ｙとして、Φ１２ｍｍ、厚さ２ｍｍ（アスペクト比＝０．１７）を採用したこと以外は  実施例１と同様にして測定したところ、磁着力は６３０グラムであった。目標の９００グラムには遥かに及ばなかった。
【００４４】
（比較例２）
永久磁石Ｚとして、Φ５ｍｍ、厚さ１０ｍｍ（アスペクト比＝２．０）を採用したこと以外は比較例１と同様にして測定したところ、磁着力は６５０グラムだった。
【００４５】
（比較例３）
永久磁石Ｚとして、Φ１０ｍｍ、厚さ２ｍｍ（アスペクト比＝０．２）を採用したこと以外は比較例１と同様にして測定したところ、磁着力は弱くて３６０グラムだった。
【産業上の利用可能性】
【００４６】
本発明は、仏壇と仏具に関わり、地震等に拠る一定の揺れに対して仏具の転倒を防止するため磁石の配置・形状を提案している。
９８０ガルという極めて強い地震揺れに対応しているので、仏具の転倒に拠って仏壇が損傷したり、火台や線香台の転倒によって仏壇が焦げるというトラブルを回避することが出来る。
或いは火災の発生を防止することができるので、各家庭では安心して仏壇を購入することができる。
【符号の説明】
【００４７】
１  仏具（蝋燭立て）
２  台
３  希土類焼結永久磁石
４  仏壇基材
５  希土類焼結永久磁石
６  表装材
７  仏具（香炉）
８  仏具の足
９  台座
１０  希土類焼結永久磁石
１１  仏具（位牌）
１２  仏具の足
１３  台座
１４  希土類焼結永久磁石
Ａ  正三角形の頂点
ａ  点Ｐから辺ＢＣに降ろした垂線と辺ＢＣとの交点
Ｂ  正三角形の他の頂点
ｂ  点Ｐから辺ＡＣに降ろした垂線と辺ＡＣとの交点
Ｃ  正三角形の他の頂点
ｃ  点Ｐから辺ＡＢに降ろした垂線と辺ＡＢとの交点
Ｄ  磁石の直径または短辺の長さ
Ｅ  三角形の頂点
ｅ  点Ｑから辺ＦＫに降ろした垂線と辺ＦＫとの交点
Ｆ  三角形の他の頂点
ｆ  点Ｑから辺ＥＫに降ろした垂線と辺ＥＫとの交点
Ｋ  三角形の他の頂点
ｋ  点Ｑから辺ＥＦに降ろした垂線と辺ＥＦとの交点
Ｐ  正三角形の中心
Ｑ  三角形の内心点
Ｌ  磁石の長さ
Ｏ  仏具の仮想底部（円）の中心
Ｒ  円の半径
Ｗ  仏具の総重量
Ｈ  仏具の重心の高さ
Ｍ  磁着力
【図１】
2013226292.tif 000005
【図２】
2013226292.tif 000006
【図３】
2013226292.tif 000007
【図４】
2013226292.tif 000008
【図５】
2013226292.tif 000009
【図６】
2013226292.tif 000010
【手続補正書】
【提出日】平成25年8月5日(2013.8.5)
【手続補正１】
【補正対象書類名】特許請求の範囲
【補正対象項目名】全文
【補正方法】変更
【補正の内容】
【特許請求の範囲】
【請求項１】
円柱状または角柱状の永久磁石であって、その直径または短辺が１０ｍｍ以上１５ｍｍ以下、且つアスペクト比が０．３以上０．５以下の希土類永久磁石偶数個を１組として、該永久磁石の半数を仏具の底面に装着し、該仏具を載置する仏壇の所定の位置に残余の永久磁石を装備し、該永久磁石同士を磁気的に吸引せしめて仏具を仏壇に載置することを特徴とする、磁気仏壇。
【請求項２】
仏具の底面に装着された永久磁石の少なくとも１個は、該底面が３角形においては各頂角の２等分線が交差する内心に、該底面が正四辺形においては対角線の交点に、該底面が正五角形以上においてはその外接円の中心に、それぞれ装着されていることを特徴とする、請求項１に記載の磁気仏壇。
【請求項３】
磁気的に吸引せしめる永久磁石２個のうち少なくとも１個の直径または短辺が、１２ｍｍ以上１５ｍｍ以下、且つアスペクト比が０．３以上０．５以下である事を特徴とする請求項１または２に記載の磁気仏壇。
【手続補正２】
【補正対象書類名】明細書
【補正対象項目名】全文
【補正方法】変更
【補正の内容】
【発明の詳細な説明】
【技術分野】
【０００１】
本発明は、仏壇に載置されている仏具その他が地震の際に転倒することを防止することを目的として、磁石を装着した仏壇及び磁石を装備した仏具に関する。
【背景技術】
【０００２】
仏具の転倒防止の提案は多い。
例えば特許文献１は粘着シートを採用し、特許文献２は磁石または磁性体を仏壇に組み込みその表面を天然杢または印刷シートで覆い、且つ磁着させる磁石または磁性体を仏具に装着させている。
【０００３】
特許文献３は、位牌及び仏壇の双方にマグネットを装備させて、位牌の位置を決めるとともに転倒を防止している。特許文献４は、永久磁石を位牌の基台部の下面に固着し、被吸着シートを仏壇に配設することでもって位牌の転倒を防止している。
特許文献５は、仏壇に磁性体の板を貼り合わせ、灯台や位牌下端部の中心に磁石を装備して均等に吸着させ、転倒を防止しようとしている。
【先行技術文献】
【特許文献】
【０００４】
【特許文献１】実用新案登録第３１２７２８２号公報
【特許文献２】実開昭６３−１９１９８７号公報
【特許文献３】実公昭６１−４０２２９号公報
【特許文献４】実用新案登録第３１５４６６９号公報
【特許文献５】実用新案登録第３０３８４８３号公報
【発明の概要】
【発明が解決しようとする課題】
【０００５】
上記特許文献２〜５は何れも、磁石と磁石、または磁石と磁性体との磁気的な吸着という現象を述べているに過ぎず、どの様な磁石がどの様に有効であるかについては明らかになっていない。
【０００６】
しかし、日常経験する地震の揺れで仏具が転倒する事例が多く、特に火立や香炉は火災の危険があって、安心できる転倒防止策が求められていた。
東北地方太平洋沖地震では、家屋の被害が少ないにも拘らず広範囲の地域で仏具の転倒がみられ、仏壇販売店へは転倒防止への要望が多く寄せられた。
【０００７】
本発明は上記の現状に鑑みて成されたもので、一定強さの横方向（水平方向）揺れに耐えて仏具の転倒を防止することを課題とする。
【課題を解決するための手段】
【０００８】
上記課題を解決するため本発明は、円柱状または角柱状の永久磁石であって、その直径または短辺が１０ｍｍ以上１５ｍｍ以下、且つアスペクト比が０．３以上０．５以下の希土類永久磁石偶数個を１組として、該永久磁石の半数を仏具の底面に装着し、該仏具を載置する仏壇の所定の位置に残余の永久磁石を装備し、該永久磁石同士を磁気的に吸引せしめる構成とした。これによって、仏壇に載置した仏具の転倒を防止することが出来る。
【０００９】
仏具の底面に装着された永久磁石の少なくとも１個は、該底面が３角形においては各頂角の２等分線が交差する内心に、該底面が正四辺形においては対角線の交点に、該底面が正五角形以上においてはその外接円の中心に装着されていることによって、該仏具が特定の方向に転倒し易いという脆弱性が無くなる。
【００１０】
磁気的に吸引せしめる該永久磁石２個のうち少なくとも１個の直径または短辺が、１２ｍｍ以上１５ｍｍ以下、且つアスペクト比が０．３以上０．５以下であれば、転倒防止がより確実となる。
【発明の効果】
【００１１】
本発明に拠れば、地球引力に拠る重力加速度と同等の大きな加速度の水平方向地震揺れに対して、一定条件の仏具の転倒を防止することが出来る。
【図面の簡単な説明】
【００１２】
【図１】本発明の一実施態様を表したものであり、（ａ）は仏具の斜視図、（ｂ）は仏具の取り付け状態を表す断面図を示す。
【図２】本発明の耐震性の模式図を示す。
【図３】本発明における磁石を三角形形状で装着する図を示したものであり、（ａ）は正三角形形状、を示したものであり、（ｂ）は他の三角形形状を示す。
【図４】本発明の仏具の足が複数本で形成されたタイプの実施態様を表わしたものであり、（ａ）は分解斜視図、（ｂ）は台座の断面図、（ｃ）は組み立て状態の斜視図を示す。
【図５】本発明の台座を仏具の足毎に設けたタイプの実施態様を示したものであり、（ａ）は仏具の斜視図、（ｂ）は台座の断面図を示す。
【図６】本発明のアスペスト比の説明図を表したものであり、（ａ）は円柱型の斜視図、図６（ｂ）は角柱型の斜視図を示す。
【発明を実施するための形態】
【００１３】
地震の大きさは「震度」や「マグニチュード」で表されるが、揺れの強さは「加速度」を表す「ガル」や、揺れの「速度」を表す「カイン」が用いられている。「加速度」の単位は、ｃｍ／Ｓｅｃ／Ｓｅｃである。
大きな構築物の耐震性を調べるには、最近は「カイン」が考慮される様になっているが、従来から「ガル」が注目されてきた。
【００１４】
地震の揺れの加速度と仏具の転倒との関係は次のように整理できる。
該加速度の方向は、個々の地震の性格や地盤そのもの、或は震源地と仏壇との位置関係でもってケースバイケースであり、特定する事が出来ない。
上下方向の加速度はいわゆる重力に逆らう加速度なので、地震の加速度αが重力加速度ｇ（ｇは９８０）より大きければ仏壇は宙に浮く事になり、仏壇そのものの転倒が現実的となる。仏具は、仏壇に固定、若しくは粘着・磁着されていなければ宙に浮くことになり、転倒の可能性が高くなる。
この場合、仏具の重量Ｗや重心の高さＨ、或は仏具の底の形状寸法は無関係である。
尚本発明においては、高層ビルの上層階での揺れや共振、その他の複合的な揺れについては考慮しない。
【００１５】
該加速度が水平方向の場合、床面と仏壇底面との摩擦や仏壇と仏具底面との摩擦が重要である。摩擦が小さい場合は、仏壇は床面をすべり、人や他の家具等に衝突し、或は段差で転倒してしまう。仏具は仏壇の棚や段上を滑って壁面や他の仏具と衝突、或は棚や段から落下・転倒してしまう。
そこで、仏壇や仏具に拠る事故の防止及び転倒防止を行う上で、床面と仏壇との摩擦及び仏壇と仏具の摩擦は十分大きく採る必要がある。
本発明では、該摩擦が十分大きく且つ該加速度の方向が水平方向を想定して、その対策を講じた。
尚、加速度の方向が垂直方向或は水平方向で無い場合は、該加速度の垂直方向成分、及び水平方向成分を考えれば良いが、それら成分は、いずれも該加速度の絶対値よりは小さい。
【００１６】
床面と仏壇との摩擦が大きくて仏壇が地表の水平方向の揺れに追随すると仮定し、更に仏壇と仏具との摩擦も十分大きくて仏具が仏壇の水平方向の揺れに追随すると仮定し場合、仏具の転倒現象は、該地表の揺れの「加速度」でもって引き起こされる。
関東大震災では約４００ガル、阪神大震災では約８００ガルが観測されている。東日本大震災（東北地方太平洋沖地震）では、最大で約２３００ガルが観測された。これらの最大揺れが観察されたのは一部の地域であり、その方向もケースバイケースであった。
他方で上述した様に、地震の加速度αの大きさが重力加速度ｇより大きい場合は、仏具の転倒防止は複数のしかも強固な対策が必要であり、現実的では無い。
以上の理由により、本発明は、水平方向の揺れの加速度が重力加速度ｇと同等という非常に強い場合に転倒を防止することを目標とした。
【００１７】
水平方向の加速度に拠る仏具の転倒を、耐震性の模式図を表わす図２を用いて説明する。なお、地震に拠る加速度αの方向は特定できないので、仏具の底面を円と仮定して、方向性を無視できるモデルを考える。
すなわち総重量Ｗの仏具の重心は、底面の円の中心Ｏを通る垂線上で高さがＨであるとする。又、仏具の底面を円と見立てた場合の半径をＲとする。
そして、底面の中心Ｏに永久磁石が装着されており、対応する仏壇にも永久磁石が装着され、該２個の永久磁石が吸引しているものとする。
この時仏具には、図２の実線２重矢印方向へ、「水平方向の転倒モーメント＝Ｗ＊α＊Ｈ」が作用する。
対して、「安定モーメント」は、重力加速度をｇとすると、「重力がつくるモーメント；Ｗ＊ｇ＊Ｒ（重心を基点とする破線２重矢印）」と、「磁気吸着力がつくるモーメント；Ｍ＊ｇ＊Ｒ（円の中心Ｏを基点とする破線２重矢印）」との和である。
ここに、Ｍ＊ｇで表される磁気吸着力のＭ（単位はグラム）が重要となる。
仏具が転倒しないためには、「安定モーメント＝（Ｗ＋Ｍ）＊ｇ＊Ｒ」が、「転倒モーメント；Ｗ＊α＊Ｈ」より大きい条件が必要になる。
これを不等式で表わすと、「（Ｗ＋Ｍ）＊ｇ＊Ｒ＞Ｗ＊α＊Ｈ」となる。
そして、この不等式を整理すると、「Ｍ＞Ｗ＊［（Ｈ／Ｒ）＊（α／ｇ）−１］」となる。（以下、「式１」と表わす。）
【００１８】
地震の揺れの加速度は、地盤構造や建屋の構造などで大きく異なる事が知られており、一概に想定することは困難だが、上述した理由で９８０ガルを採用すると、重力加速度ｇと同等になり、上記「式１」は、「Ｍ＞Ｗ＊（Ｈ／Ｒ−１）」となる。（以下、「式２」と表わす。）
つまり磁気吸着力Ｍが、この「式２」の右辺の値以上であれば、該仏具は転倒が防止される。
また、上記式から明らかな様に、仏具の重量が軽ければ転倒し難らく、重心の位置は低いことが好ましく、仏具の底面が大きいことが好ましい。
個々の仏具によって決まる右辺で、仏具の平均的な重量Ｗ＝３００グラム、平均的な「Ｈ／Ｒ＝４」を「式２」に代入すると、Ｍ＞９００グラムの磁気吸着でもって、該仏具は、９８０ガルの地震の揺れに耐えて転倒を防止することが出来る。
【００１９】
磁気吸着力Ｍが９００グラムの場合上記「式２」から、仏具の重量Ｗが例えば５００グラムの重いケースでは「Ｈ／Ｒ＞２．８」で転倒が防止され、「Ｈ／Ｒ＜２．８」では転倒してしまう。つまり、より背が低く底面が大きくなければ倒れてしまう。逆にＷが軽くなればより大きなＨ／Ｒまで転倒が防止される。
同様に上記「式２」から「Ｈ／Ｒ」が６まで大きくなると、Ｗが１８０グラム以上では転倒してしまう。逆に「Ｈ／Ｒ」が小さくなって３になれば、Ｗは４５０グラム以下で転倒が防止される。
以上のように、磁気吸着力Ｍが一定の場合は、転倒が防止できる仏具の重量Ｗと仏具の形状で決まる「Ｈ／Ｒ−１」の値とが反比例の関係にあるので、採用する永久磁石の磁気吸着力毎に仏具の形状、重量や重心の高さなどを設計することが出来る。
なお、以下の文章における、磁気吸着及び磁気吸着力の記載については、磁気吸着は磁着、磁気吸着力については磁着力と、簡素化して表現することとする。
【００２０】
図１は、本発明の一実施態様を表したものであり、図１（ａ）は仏具の斜視図、図１（ｂ）は仏具の取り付け状態を表す断面図を示している。
具体的には、仏具１としての蝋燭立てには、その下部に形成される台２の下面中央部に、希土類焼結永久磁石３が接着等で取り付けられている。
また、仏具１を設置する仏壇側には、その仏壇基材４に希土類焼結永久磁石５が接着等で取り付けられ、その上面は表装材６で覆われている。
そして、図１（ｂ）に示すように、蝋燭立て１の希土類焼結永久磁石３と、仏壇基材４の希土類焼結永久磁石５とが磁着し、蝋燭立て１は、仏壇基材４に取り付けられることになる。
上記の表装材６で示される仏具を載置する段、棚や壇の表面は、無垢材や木目模様を印刷したシートでもって製作される。また、打敷が敷かれる場合もあり、現実に、仏具に装着させた磁石と仏壇に装着させた磁石を対向させるクリアランスは、仏壇の設計思想や使用状況で変わる。
他方で、無垢材を薄くスライスする技術や、スライスした薄い板を外観上無垢材の様に貼り付けて、例えば磁石を埋め込んでその表面に該板を一体化する技術が進んでおり、表面の漆塗装や打敷の厚さを加えても、１ｍｍ程度に収めることが可能になっている。
「表１」は、各種形状の磁石を１ｍｍの非磁性クリアランスを隔てて対向吸引させて、その磁着力を測定した結果の主なものを纏めたものである。
尚、この表に示す永久磁石・Ｙは、上記の蝋燭立て１に取り付けられた希土類焼結永久磁石３に相当し、永久磁石・Ｚは、仏壇基材４に取り付けられた希土類焼結永久磁石５に相当する。勿論、永久磁石・Ｙと永久磁石・Ｚとが入れ替わっても磁着力は同じである。
【００２１】
【表１】
2013226292.tif 000011
【００２２】
この結果から次のことが判る。
即ち、直径１０ｍｍ以上且つアスペクト比０．３以上の永久磁石同士を対向磁着させると、対向のクリアランスが１．０ｍｍで略９００グラムの磁着を確保出来る。更に、少なくとも片方の磁石として、直径１２ｍｍ以上且つアスペクト比が０．３以上の永久磁石を対向させると、磁着力は１０００グラム近くなるので転倒防止がより確実となる。
【００２３】
上記「表１」の１１３０グラムの磁着力の場合、「式２」から、Ｗが３００グラムのケースでは「Ｈ／Ｒ」は４．７まで転倒を防止できる。同様に「式２」から、「Ｈ／Ｒ」が４のケースではＷは３７７グラムまで転倒を防止できる。
同様に、上記「式１」に上記「表１」のＭ＝１１３０を採用し、「Ｈ／Ｒ＝４」及び、「ｇ＝９８０」を代入すると、「α＝１１６８」、つまり１１６８ガルの水平方向加速度まで転倒せず耐えることが出来る計算になる。この様に「式１」を用いると、耐震強度の設定から仏具の設計、及び使用する永久磁石の磁着力まで設計することが出来る。
【００２４】
永久磁石を単体で使用する場合、細長い棒磁石では問題にならないが、薄い磁石では特にその形状が重要である。単体の永久磁石を扱う上で反磁界という現象を避けることは出来ない。
反磁界の強さを「Ｈｄ（値は負）」、本来の強さを「Ｊ」とすれば、「Ｎ＝−Ｈｄ／Ｊ」は、反磁界係数として知られている。反磁界係数の値は正である。
円柱状や棒状の形状で且つ長い磁石では反磁界係数は小さく、逆に短くなると反磁界の影響が決定的となる。
回転楕円体以外の形状では該反磁界係数の厳密な理論計算が出来ないとされているが、近似計算結果を含めて以下の値等が公表されている。
例えば後述する図６（ａ）の円柱において、アスペクト比が２の場合の反磁界係数は約０．１４であるが、アスペクト比が半分の１になると反磁界係数は約０．２７と大きくなる。つまり、磁力が約２７％も目減りしてしまう。
上記の様に、反磁界係数と該アスペクト比とは簡単な式で関係づけることが出来ないが、同一径の永久磁石或は同一長さの永久磁石ではそれぞれ、アスペクト比が小さいほど反磁界係数が大きくなるので、該永久磁石の磁力が小さくなってしまう。そこで、永久磁石の磁力を最大引き出して、言い換えると反磁界をなるべく小さくして使用する技術が重要となる。
アスペクト比が０．３を割り込むと、反磁界係数は急激に大きくなり、アスペクト比が更に極端に小さくなると、それ自身が磁石でなくなってしまう程である。したがって、一般的に永久磁石を使用する場合、可能な限り大きいアスペクト比形状を採用する事が好ましい。
【００２５】
図６は、アスペスト比の説明図であり、図６（ａ）は円柱型の斜視図、図６（ｂ）は角柱型の斜視図を示す。
なお、本発明において、「アスペクト比＝Ｌ／Ｄ＝長さ／直径（または短辺）」と定義する。
また、図６（ａ）（ｂ）の実線２重矢印は磁化の方向を表しており、該磁化の方向の長さをＬとする。
仏具を載置する仏壇の棚や段の厚さは２０ｍｍ程度以下であるので、表装材の厚さや機械的強度を確保する目的から、永久磁石の厚さＬは略１５ｍｍ以下が好ましい。
【００２６】
本発明において、磁着力の測定は以下の自作した装置を用いた。
フルスケール２０００グラムのバネ式上皿台秤の非磁性皿上面に永久磁石を装着・固定し、予め１ｋｇ以上の重りの負荷によって、台秤の台部分を下げさせておく。
他方で、非磁性体に装着・固定された他の永久磁石を、台座に固定した永久磁石に、厚さ１．０ｍｍの非磁性スペーサーを介して対向磁着させ、ラックアンドピニオン装置でスムーズに引き上げる。対向磁着した永久磁石同士の磁着が離れる間際の荷重読みと、初期の荷重読みとの差を、該一組の永久磁石同士の磁着力とした。
【００２７】
永久磁石の磁力の強さは、径が大きく且つ長い磁石、言い換えるとアスペクト比大きい磁石が強い傾向があり、本発明には好適である。
他方で、仏壇に永久磁石を装着するに当たって、多くの場合、磁石形状の制約がある。例えば本発明では、仏壇に装着する磁石は長い磁石は採用出来ず、上述した様に１５ｍｍ以下が好ましい。仏壇の制作上、機械強度を確保するためには、装備する永久磁石は小さい程、薄いほど好都合である。
更に、同じ形状では磁力が最も高い希土類永久磁石ではあるが、重量当たりの価格が著しく高価なため、なるべく小さい永久磁石を採用せざるを得ない。従い、おのずと薄い磁石が好ましくなるが、他方で上述した反磁界のために磁力が急激に低下する。以上の理由から、磁石形状の大きさと共にアスペクト比が重要となる。現実的には、仏壇と仏具の設計思想に基づき実形状でもって影響を確認して、必要最低限の形状を選択する。
【００２８】
「表１」からは、直径が同じ場合はアスペクト比が大きい程磁着力が強くなり、アスペクト比が同じ場合は直径が大きい程磁着力が強い事が判る。
直径が１０ｍｍ、アスペクト比が０．３の希土類永久磁石と、直径が１５ｍｍ、アスペクト比が０．３の希土類永久磁石を対向磁着させた場合、本発明の目標とする９００グラムを２割以上超える十二分な磁着力を示す。
他方で上述した様に、永久磁石の価格や仏壇・仏具の制作上、永久磁石の形状は小さい程好ましいので、本発明において、希土類永久磁石の直径は１５ｍｍ以下とした。
上記の様に、永久磁石の直径Ｄとアスペクト比の範囲がそれぞれ決まれば、該永久磁石の長さＬの範囲が、３．０ｍｍ以上、７．５ｍｍ以下と計算できる。この長さＬの最大７．５ｍｍは、仏壇製作の制約である１５ｍｍ以下を満足している。
【００２９】
転倒防止に仏具の形状は決定的に影響する。「式１」から明らかな様に、重心位置が高い仏具は倒れやすい。
仏具の底辺の大きさや形状も決定的である。
仏具の底辺は、美的観点から円形、正三角形、正四辺形、及び正多角形が殆どである。点に近い小さな底面積の足が３本以上で構成される場合もあるが、その位置は通常正三角形の頂点位置、或いは正四辺形の頂点位置の様な対称的な位置関係にあることが多い。
【００３０】
図３は、磁石を三角形形状で装着する図を表わしたものであり、図３（ａ）は正三角形形状を示し、正三角形ＡＢＣの各頂点位置に仏具の足があり、三角形の中心Ｐの鉛直上方に仏具の重心がある場合の図である。この仏具では、３個の足が正三角形の台座の頂点部分に固定されている（図示せず）。この場合に於ける「式１」の［Ｒ］は、点Ｐから各辺への垂線の足の長さＰ−ａ、Ｐ−ｂ、およびＰ−ｃに相当する。図３（ａ）は正三角形なので、内心、重心、垂心などの中心位置は一致し、中心Ｐから該垂線の足の長さは３本ともおなじである。
図３（ｂ）は他の三角形形状を示したものであり、このように三角形ＥＦＫが正三角形でなければ、中心点からの各辺への垂線の長さが異なる場合があり、そのなかで最も短い方向への横揺れに対して最も耐震性が低くなってしまう。
【００３１】
耐震性はあらゆる水平方向の揺れを想定する必要があるので、特定の方向が他の方向より弱いということは製品として好ましく無い。
そこで、三角形ＥＦＫの各頂点の内角の２等分線３本が１点で交わる内心点をＱとすると、点Ｑから各辺に下ろした垂線の足、Ｑ−ｅ、Ｑ−ｆ、Ｑ−ｋの長さがそれぞれ同じである。該長さが「式２」のＲに相当する。該点Ｑの鉛直上方に該仏具の重心がある事が好ましく、且つ該点Ｑに永久磁石を装着する必要がある。この場合は耐震性が特に低い特定の方向が無くなるので好適である。
正四辺形の場合は対角線の交点、正五角形以上ではその内接円の中心にそれぞれ該転倒防止磁石を装着することが好ましく、且つ、該点の鉛直上方にそれぞれ重心位置があることが好適である。仏具の底面の形状が四辺形以上の多角形の場合は、少なくとも２辺以上に内接する最小の内接円の中心に、該磁石を装着することが好ましく、且つ該中心の鉛直上方に該仏具の重心がある事が好ましい。
【００３２】
図４は、仏具の足が複数本で形成されたタイプの実施態様を示したものであり、図４（ａ）は分解斜視図、図４（ｂ）は台座の断面図、図４（ｃ）は組み立て状態の斜視図を表している。
即ち、香炉等、仏具７の底部の足８が複数本で形成されている場合、そのまま本発明の永久磁石を装着することが困難であるので、各足部８，８，８の裏に特別の工夫が必要である。
そこで、仏具底部の足８，８，８が収納するような台座９を設けてその底部裏の中心に、本発明の希土類焼結永久磁石１０を装着するのが良い。こうすれば、仏具の品格が高まると共にＲが大きくなり、耐震性が向上するので好都合である。
【００３３】
尚、台座は、仏具の足毎に設けても良い。
図５は、そのようなタイプの実施態様を示したものであり、図５（ａ）は仏具の斜視図、図５（ｂ）は台座の断面図を表している。
即ち、位牌等の仏具１１の下部に形成された４個の各足部１２，１２，１２，１２の中心にそれぞれ１個、計４個の永久磁石を装着すれば良い。
この場合の耐震性は「式１」では表わされないが、装着した磁石が４倍であることから、より好ましいことが推定される。
尚、図５（ｂ）は、４個の足１２，１２，１２，１２それぞれに装着する台座１３を示しており、例えば足１２が台座１３から抜けない様に斜めに挿入されており、該台座の中心に本発明の希土類焼結永久磁石１４が装着されている。
【００３４】
仏壇を設計し製作するに際して、どの様な仏具をどの位置に載置するかを設計し、それに基つき本発明の永久磁石を装着・一体化する。したがって、永久磁石を装着された仏具を、仏壇に装着された磁石の位置に対して、容易に且つ精確に載置することが出来るので好都合である。
尚、図５の態様では、１体の仏具に複数（４個）の磁石が装着されているので、それぞれの永久磁石が仏壇に装着された対の永久磁石と磁着する事になり、位置のみならず仏具の向きもまた精確に載置する事が出来る。
【００３５】
クリアランスが１ｍｍで磁気吸着力を約９００グラム確保するには、永久磁石と磁性材との組み合わせによっても可能である。
直径または短辺長さが１０ｍｍ以上且つアスペクト比が０．５以上であるか、若しくは直径または短辺長さが１２ｍｍ以上且つアスペクト比が０．３以上である永久磁石と、直径３５ｍｍ、厚さ０．２ｍｍの鉄板とを対向磁着させると、９００グラム以上の磁気吸着力を確保出来た。表２にその結果を示す。
但し、磁石と鉄板シートの中心との大略の位置合わせが簡単であるものの、精確では無かった。
【００３６】
【表２】
2013226292.tif 000012
【００３７】
本発明の希土類焼結永久磁石は、（ＢＨ）ｍａｘが３２ＭＧＯｅ程度以上の磁気特性を有する磁石を採用する。中でも、いわゆるネオジ磁石として知られている永久磁石は、現在最も磁力が強い磁石であり好適である。通常焼結磁石が採用される。
フェライト焼結磁石では磁力が不足して、必要な磁気吸着力が得られない。形状を大きくすれば吸着力を確保する事は可能だが、大きくなりすぎて仏壇や仏具への装着が実質不可能となるので採用出来ない。
合成樹脂と希土類磁石粉末とを混練するボンド磁石は、希土類磁石系であっても該永久磁石成分の体積比率が７０％を超えることが無いので、焼結磁石に比べて磁力が低く、採用できない。
但し、圧縮成型希土類ボンド磁石はボンド磁石の範疇には属するが、ボンド剤としての樹脂成分が少なく通常永久磁石成分の体積比率が９０％前後と高いので、焼結磁石に比較的近い磁力を示す。本発明の形状範囲で、本発明の目的を達成する９００グラムの磁着力を示す圧縮成型希土類ボンド磁石は、本発明において好適に採用される。
【実施例１】
【００３８】
バネ式上皿台秤の非磁性皿の中央にΦ１５ｍｍ、厚さ６ｍｍ（アスペクト比＝０．４）のネオジ焼結磁石（永久磁石Ｙとする）を装着し、ラックアンドピニオン側にはΦ１０ｍｍ、厚さ３ｍｍ（アスペクト比＝０．３）のネオジ焼結磁石（永久磁石Ｚとする）を装着し、上述した装置でクリアランス１．０ｍｍでの磁着力を測定したところ、１１３０グラムであった。目標とする９００グラムには、十二分の余裕があった。
【実施例２】
【００３９】
永久磁石Ｙとして、Φ１５ｍｍ、厚さ４．５ｍｍ（アスペクト比＝０．３）を採用したこと以外は実施例１と同様にして測定したところ、磁着力は１０８５グラムであった。
【実施例３】
【００４０】
永久磁石Ｙとして、Φ１２ｍｍ、厚さ４ｍｍ（アスペクト比＝０．３３）を採用したこと以外は実施例１と同様にして測定したところ、磁着力は９９５グラムであった。
【実施例４】
【００４１】
永久磁石Ｙとして、Φ１０ｍｍ、厚さ５ｍｍ（アスペクト比＝０．５）を採用したこと以外は実施例１と同様にして測定したところ、磁着力は１０５０グラムであった。
【実施例５】
【００４２】
永久磁石Ｙとして、Φ１０ｍｍ、厚さ３ｍｍ（アスペクト比＝０．３）を採用したこと以外は実施例１と同様にして測定したところ、磁着力は８９０グラムであった。
【００４３】
目標の９００グラムをほぼ達成しており、この事から、次の事が判った。
仏具の重量３００グラム以下、重心位置の底面からの高さをＨ、重心から底面に垂直に降ろした位置をＯとして点Ｏから底面の形状の最も近い外周迄の距離をＲとしたとき「Ｈ／Ｒ＝４以下」、という条件下で、一組の永久磁石形状が、それぞれΦ１０ｍｍ、アスペクト比が０．３以上であれば、仏壇の表装材の厚さ１．０ｍｍを介して磁着させると、地震強度が重力加速度ｇと同等の９８０ガルに対して、僅か１．１％低い９６９ガルまで転倒を防止することが出来る。
【実施例６】
【００４４】
永久磁石Ｙとして、Φ１２ｍｍ、厚さ４ｍｍ（アスペクト比＝０．３３）、永久磁石Ｚとして、Φ１０、厚さ５ｍｍ（アスペクト比＝０．５）を採用したこと以外は実施例１と同様にして測定したところ、磁着力は１０２０グラムであった。
【００４５】
（比較例１）
永久磁石Ｙとして、Φ１２ｍｍ、厚さ２ｍｍ（アスペクト比＝０．１７）を採用したこと以外は  実施例１と同様にして測定したところ、磁着力は６３０グラムであった。目標の９００グラムには遥かに及ばなかった。
【００４６】
（比較例２）
永久磁石Ｚとして、Φ５ｍｍ、厚さ１０ｍｍ（アスペクト比＝２．０）を採用したこと以外は比較例１と同様にして測定したところ、磁着力は６５０グラムだった。
【００４７】
（比較例３）
永久磁石Ｚとして、Φ１０ｍｍ、厚さ２ｍｍ（アスペクト比＝０．２）を採用したこと以外は比較例１と同様にして測定したところ、磁着力は弱くて３６０グラムだった。
【産業上の利用可能性】
【００４８】
本発明は、仏壇と仏具に関わり、地震等に拠る一定の横揺れに対して仏具の転倒を防止するため磁石の配置・形状を提案している。
９８０ガルという極めて強い地震揺れに対応しているので、仏具の転倒に拠って仏壇が損傷したり、火台や線香台の転倒によって仏壇が焦げるというトラブルを回避することが出来る。
また、火災の発生を防止することができるので、各家庭では安心して仏壇を購入することができる。
【符号の説明】
【００４９】
１  仏具（蝋燭立て）
２  台
３  希土類焼結永久磁石
４  仏壇基材
５  希土類焼結永久磁石
６  表装材
７  仏具（香炉）
８  仏具の足
９  台座
１０  希土類焼結永久磁石
１１  仏具（位牌）
１２  仏具の足
１３  台座
１４  希土類焼結永久磁石
Ａ  正三角形の頂点
ａ  点Ｐから辺ＢＣに降ろした垂線と辺ＢＣとの交点
Ｂ  正三角形の他の頂点
ｂ  点Ｐから辺ＡＣに降ろした垂線と辺ＡＣとの交点
Ｃ  正三角形の他の頂点
ｃ  点Ｐから辺ＡＢに降ろした垂線と辺ＡＢとの交点
Ｄ  磁石の直径または短辺の長さ
Ｅ  三角形の頂点
ｅ  点Ｑから辺ＦＫに降ろした垂線と辺ＦＫとの交点
Ｆ  三角形の他の頂点
ｆ  点Ｑから辺ＥＫに降ろした垂線と辺ＥＫとの交点
Ｋ  三角形の他の頂点
ｋ  点Ｑから辺ＥＦに降ろした垂線と辺ＥＦとの交点
Ｐ  正三角形の中心
Ｑ  三角形の内心点
Ｌ  磁石の長さ
Ｏ  仏具の仮想底部（円）の中心
Ｒ  円の半径
Ｗ  仏具の総重量
Ｈ  仏具の重心の高さ
Ｍ  磁着力